【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
座席シート、特に子供の身体部分および／または飲用ボトルまたはおもちゃのような外部物体を支持するための高さ調整可能な支持装置（１２、１３、１４）を備えた子供用ハイチェア（１０）は、高さ調整装置を有し、
前記高さ調整装置は、複数の、好ましくは２つの、特に前記座席シートの各側部に１つずつの、特にはハイチェアの各側部に１つずつのロック装置（２０）を有し、
前記ロック装置（２０）は、共用の機構、特に共用の装置（２１）の回転および／または並進により、ロックの解除、および／またはロック状態に移行させることができることを特徴とする座席シート、特に子供用ハイチェア。
【請求項２】
座席シート、特に子供用ハイチェア（１０）であって、
前記高さ調整および／または調整された高さのロックおよび／または調整された高さのロックの解除は、片手で実行できることを特徴とする請求項１に記載の座席シート、特に子供用ハイチェア。
【請求項３】
座席シート、特に子供用ハイチェア（１０）であって、
前記高さ調整および調整された高さのロックおよび調整された高さのロックの解除は、単一の、好ましくはワンピースの、および／または中央に配置されたハンドルを握って操作することにより実行することができることを特徴とする請求項１または２のいずれか１項に記載の座席シート、特に子供用ハイチェア。
【請求項４】
座席シート、特に子供用ハイチェア（１０）であって、
調整される高さのロックは、力接続により、少なくとも比例するように、特にはより大きい重量が掛かるようにもたらされる請求項１乃至３のいずれか１項に記載の座席シート、特に子供用ハイチェア。
【請求項５】
座席シート、特に子供用ハイチェア（１０）であって、
前記支持装置（１２、１３、１４）の無段階可変高さ調整用の高さ調整装置を有することを特徴とする、ことを特徴とする請求項１乃至４のいずれか１項に記載の座席シート、特に子供用ハイチェア。
【請求項６】
座席シート、特に子供用ハイチェア（１０）であって、
前記複数のロック装置のうちの対応するロック装置（２０）は、圧入および／またはクランプによって、少なくとも比例するように、特にはより重い重量が掛かるように、調整された高さのロックをもたらすように構成されることを特徴とする請求項１乃至５のいずれか１項に記載の座席シート、特に子供用ハイチェア。
【請求項７】
座席シート、特に子供用ハイチェア（１０）であって、
前記支持装置は、座面（１２）および／または足置き（１４）を含むことを特徴とする請求項１乃至６のいずれか１項に記載の座席シート、特に子供用ハイチェア。
【請求項８】
座席シート、特に子供用ハイチェア（１０）であって、
前記複数のロック装置のうちの対応するロック装置（２０）は、ロック溝（２９）と、前記ロック溝（２９）にガイドされ、かつ前記ロック溝（２９）から出ることができる少なくとも１つのボルト要素（２５）と、を備え、
前記少なくとも１つのボルト要素（２５）は、好ましくは圧入および／またはクランプによって前記ロック溝（２９）の内側にロック状態で固定されることを特徴とする請求項１乃至７のいずれか１項に記載の座席シート、特に子供用ハイチェア。
【請求項９】
座席シート、特に子供用ハイチェア（１０）であって、
前記ボルト要素（２５）の回転および／または前記ボルト要素（２５）の並進運動によってロックが生成および／または解除できることを特徴とする請求項１乃至８のいずれか１項に記載の座席シート、特に子供用ハイチェア。
【請求項１０】
座席シート、特に子供用ハイチェア（１０）であって、
前記作動装置は、特にロック位置の方向にプリテンションが掛けられていることを特徴とする請求項１乃至９のいずれか１項に記載の座席シート、特に子供用ハイチェア。
【請求項１１】
座席シート、特に子供用ハイチェア（１０）であって、
ロック状態の方向に作用するプリテンション、特にばね装置（２４）が設けられることを特徴とする請求項１乃至１０のいずれか１項に記載の座席シート、特に子供用ハイチェア。
【請求項１２】
座席シート、特に子供用ハイチェア（１０）であって、
高さ調整が確実にポジティブガイドされることを特徴とする請求項１乃至１１のいずれか１項に記載の座席シート、特に子供用ハイチェア。
【請求項１３】
座席シート、特に子供用ハイチェア（１０）であって、
高さ調整をガイドするためのガイド溝（２９）が設けられ、
前記ガイド溝（２９）は、請求項８に記載の前記ロック溝によって少なくとも部分的に形成されることが好ましく、または逆の場合も同様に形成されることが好ましく、特に、前記ボルト要素（２５）が非ロック状態で前記ガイド溝またはロック溝（２９）内をスライドできるように、および／または追加のスライド要素、好ましくはスライド板がスライドできるように形成されることを特徴とする請求項１乃至１２のいずれか１項に記載の座席シート、特に子供用ハイチェア。
【請求項１４】
座席シート、特に子供用ハイチェア（１０）であって、
前記ロック装置（２０）は、重力が前記ロックを少なくとも支持するように配置され、かつ構成されることを特徴とする請求項１乃至１３のいずれか１項に記載の座席シート、特に子供用ハイチェア。
【請求項１５】
座席シート、特に子供用ハイチェア（１０）であって、
前記複数のロック装置のうちの対応するロック装置（２０）は２つのボルト要素（２５）を有し、
前記２つのボルト要素（２５）は好ましくは反対方向に回転させることができることを特徴とする請求項１乃至１４のいずれか１項に記載の座席シート、特に子供用ハイチェア。
【手続補正２】
【補正対象書類名】明細書
【補正対象項目名】００５４
【補正方法】変更
【補正の内容】
【００５４】
この時点で、個別におよび任意の組み合わせで考慮された上記の部品のすべて、特に図面に示された詳細は、本発明に不可欠であると主張されることに留意されたい。それらの変形は、当業者によく知られている。
以下に、本願出願の当初の特許請求の範囲に記載された発明を付記する。
［１］
座席シート、特に子供の身体部分および／または飲用ボトルまたはおもちゃのような外部物体を支持するための高さ調整可能な支持装置（１２、１３、１４）を備えた子供用ハイチェア（１０）は、高さ調整装置を有し、
前記高さ調整装置は、ロック装置（２０）を有し、
前記ロック装置（２０）は、力接続により、少なくとも比例するように、特にはより重い重量が掛かるように調整される高さのロックをもたらすように構成されることを特徴とする座席シート、特に子供用ハイチェア。
［２］
座席シート、特に子供の身体部分を支持するための高さ調整可能な支持装置（１２、１３、１４）を備えた子供用ハイチェア（１０）であって、
前記支持装置（１２、１３、１４）の無段階可変高さ調整用の高さ調整装置を有することを特徴とする、好ましくは［１］に記載の座席シート、特に子供用ハイチェア。
［３］
座席シート、特に子供用ハイチェア（１０）であって、
前記ロック装置（２０）は、圧入および／またはクランプによって、少なくとも比例するように、特にはより重い重量が掛かるように、調整された高さのロックをもたらすように構成されることを特徴とする［１］または［２］のいずれか１つに記載の座席シート、特に子供用ハイチェア。
［４］
座席シート、特に子供用ハイチェア（１０）であって、
前記支持装置は、座面（１２）および／または足置き（１４）を含むことを特徴とする［１］乃至［３］のいずれか１つに記載の座席シート、特に子供用ハイチェア。
［５］
座席シート、特に子供用ハイチェア（１０）であって、
前記ロック装置（２０）は、ロック溝（２９）と、前記ロック溝（２９）にガイドされ、かつ前記ロック溝（２９）から出ることができる少なくとも１つのボルト要素（２５）と、を備え、
前記少なくとも１つのボルト要素（２５）は、好ましくは圧入および／またはクランプによって前記ロック溝（２９）の内側にロック状態で固定されることを特徴とする［１］乃至［４］のいずれか１つに記載の座席シート、特に子供用ハイチェア。
［６］
座席シート、特に子供用ハイチェア（１０）であって、
前記ボルト要素（２５）の回転および／または前記ボルト要素（２５）の並進運動によってロックが生成および／または解除できることを特徴とする［１］乃至［５］のいずれか１つに記載の座席シート、特に子供用ハイチェア。
［７］
座席シート、特に子供用ハイチェア（１０）であって、
作動要素（２１）の回転および／または作動要素（２１）の並進運動によってロックを生成および／または解除でき、前記作動要素は、特にロック位置の方向にプリテンションが掛けられていることを特徴とする［１］乃至［６］のいずれか１つに記載の座席シート、特に子供用ハイチェア。
［８］
座席シート、特に子供用ハイチェア（１０）であって、
ロック状態の方向に作用するプリテンション、特にばね装置（２４）が設けられることを特徴とする［１］乃至［７］のいずれか１つに記載の座席シート、特に子供用ハイチェア。
［９］
座席シート、特に子供用ハイチェア（１０）であって、
高さ調整が確実にポジティブガイドされることを特徴とする［１］乃至［８］のいずれか１つに記載の座席シート、特に子供用ハイチェア。
［１０］
座席シート、特に子供用ハイチェア（１０）であって、
高さ調整をガイドするためのガイド溝（２９）が設けられ、
前記ガイド溝（２９）は、［５］に記載の前記ロック溝によって少なくとも部分的に形成されることが好ましく、または逆の場合も同様に形成されることが好ましく、特に、前記ボルト要素（２５）が非ロック状態で前記ガイド溝またはロック溝（２９）内をスライドできるように、および／または追加のスライド要素、好ましくはスライド板がスライドできるように形成されることを特徴とする［１］乃至［９］のいずれか１つに記載の座席シート、特に子供用ハイチェア。
［１１］
座席シート、特に子供用ハイチェア（１０）であって、
前記ロック装置（２０）は、重力が前記ロックを少なくとも支持するように配置され、かつ構成されることを特徴とする［１］乃至［１０］のいずれか１つに記載の座席シート、特に子供用ハイチェア。
［１２］
座席シート、特に子供用ハイチェア（１０）であって、
前記ロック装置（２０）は２つのボルト要素（２５）を有し、
前記２つのボルト要素（２５）は好ましくは反対方向に回転させることができることを特徴とする［１］乃至［１１］のいずれか１つに記載の座席シート、特に子供用ハイチェア。
［１３］
座席シート、特に子供用ハイチェア（１０）であって、
複数のロック装置（２０）が前記支持装置ごとに設けられ、好ましくは２つのロック装置が設けられ、特に各側部に１つずつロック装置が配置されることを特徴とする［１］乃至［１２］のいずれか１つに記載の座席シート、特に子供用ハイチェア。
［１４］
座席シート、特に子供用ハイチェア（１０）であって、
前記高さ調整および／または調整された高さのロックおよび／または調整された高さのロックの終了は、片手で実行できることを特徴とする［１］乃至［１３］のいずれか１つに記載の座席シート、特に子供用ハイチェア。